(57)【要約】  本発明は、ＲＲＣ接続をサスペンドする方法および装置、コンピュータ記憶媒体を開示し、前記方法は、第１ノードが、前記第１ノード側のサービスが第１状態にあると決定した場合、前記第１ノードは、ＲＲＣ接続をサスペンドする必要があると決定することと、前記第１ノードが第１通知メッセージを第２ノードに送信し、ＲＲＣ接続をサスペンドする必要があるかどうかを前記第２ノードとネゴシエートすることであって、前記第１通知メッセージは、ＲＲＣ接続をサスペンドする必要があると前記第１ノードが決定したことを前記第２ノードに通知するために使用されることと、前記第１ノードが、ＲＲＣ接続をサスペンドする必要があることを前記第２ノードとネゴシエートする場合、前記第１ノードは、第１サスペンドコマンドを端末機器に送信することであって、前記第１サスペンドコマンドは、ＲＲＣ接続をサスペンドし、およびＲＲＣ非活性化状態に入るように前記端末機器をトリガするために使用されることとを含む。
2021530122.tif 000002
【特許請求の範囲】
【請求項１】
ＲＲＣ接続をサスペンドする方法であって、
第１ノードが、前記第１ノード側のサービスが第１状態にあると決定した場合、前記第１ノードは、ＲＲＣ接続をサスペンドする必要があると決定することと、
前記第１ノードが第１通知メッセージを第２ノードに送信し、ＲＲＣ接続をサスペンドする必要があるかどうかを前記第２ノードとネゴシエートすることであって、前記第１通知メッセージは、ＲＲＣ接続をサスペンドする必要があると前記第１ノードが決定したことを前記第２ノードに通知するために使用されることと、
前記第１ノードが、ＲＲＣ接続をサスペンドする必要があることを前記第２ノードとネゴシエートする場合、前記第１ノードは、第１サスペンドコマンドを端末機器に送信することであって、前記第１サスペンドコマンドは、ＲＲＣ接続をサスペンドし、およびＲＲＣ非活性化状態に入るように前記端末機器をトリガするために使用されることとを含む、前記ＲＲＣ接続をサスペンドする方法。
【請求項２】
前記第１ノードが、前記第１ノード側のサービスが第１状態にあると決定することは、
前記第１ノードが、Ｎ（Ｎは正の整数である）個の前記第１ノード側のサービスベアラに対応するバッファ領域サイズが０に等しいバッファ領域状態レポートを継続的に受信する場合、前記第１ノード側のサービスが第１状態にあると決定することを含む、
請求項１に記載のＲＲＣ接続をサスペンドする方法。
【請求項３】
前記第１ノードが、前記第１ノード側のサービスが第１状態にあると決定することは、
前記第１ノードが、前記第１ノード側のサービスベアラに対応する最初のバッファ領域サイズが０に等しいバッファ領域状態レポートを受信すると、第１タイマを開始することと、
前記第１タイマの動作中に、前記第１ノードが、前記第１ノード側のサービスベアラに対応するバッファ領域サイズが０に等しくないというバッファ領域状態レポートを受信した場合、前記第１タイマを停止することとを含み、
前記第１タイマの停止をトリガする前に、前記第１タイマが期限切れになった場合、前記第１ノード側のサービスが第１状態にあると決定する、
請求項１に記載のＲＲＣ接続をサスペンドする方法。
【請求項４】
前記ＲＲＣ接続をサスペンドする必要があるかどうかを前記第２ノードとネゴシエートすることは、
前記第２ノード側のサービスが第１状態にない場合、前記第１ノードは、前記第２ノードによって送信された第２通知メッセージを受信することを含み、前記第２通知メッセージは、ＲＲＣ接続をサスペンドすることができないことを前記第１ノードに通知するために使用される、
請求項１ないし３のいずれか一項に記載のＲＲＣ接続をサスペンドする方法。
【請求項５】
前記ＲＲＣ接続をサスペンドする必要があるかどうかを前記第２ノードとネゴシエートすることは、
前記第２ノード側のサービスが第１状態にある場合、前記第１ノードは、前記第２ノードによって送信された第３通知メッセージを受信することを含み、前記第３通知メッセージは、ＲＲＣ接続をサスペンドすることができることを前記第１ノードに通知するために使用される、
請求項１ないし４のいずれか一項に記載のＲＲＣ接続をサスペンドする方法。
【請求項６】
前記ＲＲＣ接続をサスペンドする必要があるかどうかを前記第２ノードとネゴシエートすることは、
前記第２ノード側のサービスが第１状態にある場合、前記第１ノードは、前記第２ノードによって構成された第２タイマを受信し、前記第２タイマを開始することと、
前記第２タイマの動作中に、前記第２ノード側に前記第１状態にあるサービスが生成された場合、前記第１ノードは、前記第２ノードによって送信された第１指示メッセージを受信することであって、前記第１指示メッセージは、前記第２タイマを停止するように前記第１ノードに指示するために使用されることとを含み、
前記第２タイマの停止をトリガする前に、前記第２タイマが期限切れになった場合、前記第１ノードは、前記第１サスペンドコマンドを端末機器に送信する、
請求項１ないし５のいずれか一項に記載のＲＲＣ接続をサスペンドする方法。
【請求項７】
前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである、
請求項１ないし６のいずれか一項に記載のＲＲＣ接続をサスペンドする方法。
【請求項８】
ＲＲＣ接続をサスペンドする方法であって、
第２ノードが、前記第２ノード側のサービスが第１状態にあると決定し、且つ前記第２ノードが、ＲＲＣ接続の一部をサスペンドする必要があると第１ノードとネゴシエートし、または前記第２ノードが、ＲＲＣ接続の一部をサスペンドする必要があると決定した場合、前記第２ノードは、第２サスペンドコマンドを端末機器に送信することを含み、前記第２サスペンドコマンドは、ＲＲＣ接続の一部をサスペンドし、および部分的なＲＲＣ非活性化状態に入るように前記端末機器をトリガするために使用され、前記ＲＲＣ接続の一部をサスペンドすることとは、ＳＣＧのリソースをサスペンドすることを指す、前記ＲＲＣ接続をサスペンドする方法。
【請求項９】
前記ＲＲＣ接続をサスペンドする方法は、
前記第２ノードが、全てのＲＲＣ接続をサスペンドする必要があると前記第１ノードとネゴシエートする場合、前記第１ノードを介して第３サスペンドコマンドを前記端末機器に送信することをさらに含み、前記第３サスペンドコマンドは、全てのＲＲＣ接続をサスペンドし、およびＲＲＣ非活性化状態に入るように前記端末機器をトリガするために使用される、
請求項８に記載のＲＲＣ接続をサスペンドする方法。
【請求項１０】
前記ＲＲＣ接続をサスペンドする方法は、
前記第２ノードが、第４通知メッセージを前記第１ノードに送信し、ＲＲＣ接続をサスペンドする必要があるかどうかを前記第１ノードとネゴシエートすることをさらに含み、前記第４通知メッセージは、ＲＲＣ接続をサスペンドする必要があると前記第２ノードが決定したことを前記第１ノードに通知するために使用される、
請求項８または９に記載のＲＲＣ接続をサスペンドする方法。
【請求項１１】
前記ＲＲＣ接続をサスペンドする必要があるかどうかを前記第１ノードとネゴシエートすることは、
前記第１ノード側のサービスが第１状態にある場合、前記第１ノードは、全てのＲＲＣ接続をサスペンドする必要があると決定することと、
前記第１ノード側のサービスが第１状態にない場合、前記第１ノードは、ＲＲＣ接続の一部をサスペンドする必要があると決定し、前記第２ノードは、前記第１ノードによって送信された第５通知メッセージを受信することであって、前記第５通知メッセージは、ＲＲＣ接続の一部をサスペンドすることを前記第２ノードに通知するために使用されることとを含む、
請求項１０に記載のＲＲＣ接続をサスペンドする方法。
【請求項１２】
前記ＲＲＣ接続をサスペンドする方法は、
前記第２ノードが、前記第２サスペンドコマンドを前記端末機器に送信した後に、第６通知メッセージを前記第１ノードに送信することをさらに含み、前記第６通知メッセージは、前記端末機器が部分的なＲＲＣ非活性化状態に入ることを前記第１ノードに通知するために使用される、
請求項８ないし１１のいずれか一項に記載のＲＲＣ接続をサスペンドする方法。
【請求項１３】
前記第２ノードが、ＲＲＣ接続の一部をサスペンドする必要があると決定した後に、前記ＲＲＣ接続をサスペンドする方法は、
前記第２ノードが、第７通知メッセージを前記第１ノードに送信することをさらに含み、前記第７通知メッセージは、ＲＲＣ接続の一部をサスペンドする必要があることを前記第１ノードに通知するために使用される、
請求項８に記載のＲＲＣ接続をサスペンドする方法。
【請求項１４】
前記第２ノードが、前記第２ノード側のサービスが第１状態にあると決定することは、
前記第２ノードが、Ｍ（Ｍは正の整数である）個の前記第２ノード側のサービスベアラに対応するバッファ領域サイズが０に等しいバッファ領域状態レポートを継続的に受信する場合、前記第２ノード側のサービスが第１状態にあると決定することを含む、
請求項８ないし１３のいずれか一項に記載のＲＲＣ接続をサスペンドする方法。
【請求項１５】
前記第２ノードが、前記第２ノード側のサービスが第１状態にあると決定することは、
前記第２ノードが、前記第２ノード側のサービスベアラに対応する最初のバッファ領域サイズが０に等しいバッファ領域状態レポートを受信すると、第３タイマを開始することと、
前記第３タイマの動作中に、前記第２ノードが、前記第２ノード側のサービスベアラに対応するバッファ領域サイズが０に等しくないというバッファ領域状態レポートを受信した場合、前記第３タイマを停止することとを含み、
前記第３タイマの停止をトリガする前に、前記第３タイマが期限切れになった場合、前記第２ノード側のサービスが第１状態にあると決定する、
請求項８ないし１４のいずれか一項に記載のＲＲＣ接続をサスペンドする方法。
【請求項１６】
前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである、
請求項８ないし１５のいずれか一項に記載のＲＲＣ接続をサスペンドする方法。
【請求項１７】
ＲＲＣ接続をサスペンドする装置であって、
第１ノード側のサービスが第１状態にあると決定した場合、ＲＲＣ接続をサスペンドする必要があると決定するように構成される決定ユニットと、
第１通知メッセージを第２ノードに送信し、ＲＲＣ接続をサスペンドする必要があるかどうかを前記第２ノードとネゴシエートするように構成されるネゴシエートユニットであって、前記第１通知メッセージは、ＲＲＣ接続をサスペンドする必要があると前記第１ノードが決定したことを前記第２ノードに通知するために使用されるネゴシエートユニットと、
ＲＲＣ接続をサスペンドする必要があることを第２ノードとネゴシエートする場合、第１サスペンドコマンドを端末機器に送信するように構成される制御ユニットであって、前記第１サスペンドコマンドは、ＲＲＣ接続をサスペンドし、およびＲＲＣ非活性化状態に入るように前記端末機器をトリガするために使用される制御ユニットとを備える、前記ＲＲＣ接続をサスペンドする装置。
【請求項１８】
前記決定ユニットは、
前記第１ノードが、Ｎ（Ｎは正の整数である）個の前記第１ノード側のサービスベアラに対応するバッファ領域サイズが０に等しいバッファ領域状態レポートを継続的に受信する場合、前記第１ノード側のサービスが第１状態にあると決定するように構成される第１決定サブユニットを備える、
請求項１７に記載のＲＲＣ接続をサスペンドする装置。
【請求項１９】
前記決定ユニットは、
前記第１ノード側のサービスベアラに対応する最初のバッファ領域サイズが０に等しいバッファ領域状態レポートを受信すると、第１タイマを開始し、前記第１タイマの動作中に、前記第１ノード側のサービスベアラに対応するバッファ領域サイズが０に等しくないというバッファ領域状態レポートを受信した場合、前記第１タイマを停止するように構成される第２決定サブユニットを備え、前記第１タイマの停止をトリガする前に、前記第１タイマが期限切れになった場合、前記第１ノード側のサービスが第１状態にあると決定する、
請求項１７に記載のＲＲＣ接続をサスペンドする装置。
【請求項２０】
前記ネゴシエートユニットは、前記第２ノード側のサービスが第１状態にない場合、前記第２ノードによって送信された第２通知メッセージを受信するように構成され、前記第２通知メッセージは、ＲＲＣ接続をサスペンドすることができないことを前記第１ノードに通知するために使用される、
請求項１７ないし１９のいずれか一項に記載のＲＲＣ接続をサスペンドする装置。
【請求項２１】
前記ネゴシエートユニットは、さらに、前記第２ノード側のサービスが第１状態にある場合、前記第２ノードによって送信された第３通知メッセージを受信するように構成され、前記第３通知メッセージは、ＲＲＣ接続をサスペンドすることができることを前記第１ノードに通知するために使用される、
請求項１７ないし２０のいずれか一項に記載のＲＲＣ接続をサスペンドする装置。
【請求項２２】
前記ネゴシエートユニットは、さらに、前記第２ノード側のサービスが第１状態にある場合、前記第２ノードによって構成された第２タイマを受信し、前記第２タイマを開始し、前記第２タイマの動作中に、前記第２ノード側に前記第１状態にあるサービスが生成された場合、前記第２ノードによって送信された第１指示メッセージを受信するように構成され、前記第１指示メッセージは、前記第２タイマを停止するように前記第１ノードに指示するために使用され、前記第２タイマの停止をトリガする前に、前記第２タイマが期限切れになった場合、前記制御ユニットは、前記第１サスペンドコマンドを端末機器に送信する、
請求項１７ないし２１のいずれか一項に記載のＲＲＣ接続をサスペンドする装置。
【請求項２３】
前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである、
請求項１７ないし２２のいずれか一項に記載のＲＲＣ接続をサスペンドする装置。
【請求項２４】
ＲＲＣ接続をサスペンドする装置であって、
第２ノード側のサービスが第１状態にあると決定するように構成される決定ユニットと、
ＲＲＣ接続の一部をサスペンドする必要があることを第１ノードネゴシエートとネゴシエートし、またはＲＲＣ接続の一部をサスペンドする必要があると決定した場合、第２サスペンドコマンドを端末機器に送信するように構成される制御ユニットであって、前記第２サスペンドコマンドは、ＲＲＣ接続の一部をサスペンドし、および部分的なＲＲＣ非活性化状態に入るように前記端末機器をトリガするために使用され、前記ＲＲＣ接続の一部をサスペンドすることとは、ＳＣＧのリソースをサスペンドすることを指す制御ユニットとを備える、前記ＲＲＣ接続をサスペンドする装置。
【請求項２５】
前記第２ノードが、全てのＲＲＣ接続をサスペンドする必要があると前記第１ノードとネゴシエートする場合、前記第１ノードを介して第３サスペンドコマンドを前記端末機器に送信し、前記第３サスペンドコマンドは、全てのＲＲＣ接続をサスペンドし、およびＲＲＣ非活性化状態に入るように前記端末機器をトリガするために使用される、
請求項２４に記載のＲＲＣ接続をサスペンドする装置。
【請求項２６】
前記ＲＲＣ接続をサスペンドする装置は、
第４通知メッセージを第１ノードに送信し、ＲＲＣ接続をサスペンドする必要があるかどうかを前記第１ノードとネゴシエートするように構成されるネゴシエートユニットをさらに備え、前記第４通知メッセージは、ＲＲＣ接続をサスペンドする必要があると前記第２ノードが決定したことを前記第１ノードに通知するために使用される、
請求項２４または２５に記載のＲＲＣ接続をサスペンドする装置。
【請求項２７】
前記ＲＲＣ接続をサスペンドする必要があるかどうかを前記第１ノードとネゴシエートすることは、
前記第１ノード側のサービスが第１状態にある場合、前記第１ノードは、全てのＲＲＣ接続をサスペンドする必要があると決定することと、
前記第１ノード側のサービスが第１状態にない場合、前記第１ノードは、ＲＲＣ接続の一部をサスペンドする必要があると決定し、前記第１ノードによって送信された第５通知メッセージを受信することであって、前記第５通知メッセージは、ＲＲＣ接続の一部をサスペンドすることを前記第２ノードに通知するために使用されることとを含む、
請求項２６に記載のＲＲＣ接続をサスペンドする装置。
【請求項２８】
前記制御ユニットは、さらに、前記第２サスペンドコマンドを前記端末機器に送信した後に、第６通知メッセージを前記第１ノードに送信するように構成され、前記第６通知メッセージは、前記端末機器が部分的なＲＲＣ非活性化状態に入ることを前記第１ノードに通知するために使用される、
請求項２４ないし２７のいずれか一項に記載のＲＲＣ接続をサスペンドする装置。
【請求項２９】
前記ネゴシエートユニットは、さらに、ＲＲＣ接続の一部をサスペンドする必要があると決定した後に、第７通知メッセージを前記第１ノードに送信するように構成され、前記第７通知メッセージは、ＲＲＣ接続の一部をサスペンドする必要があることを前記第１ノードに通知するために使用される、
請求項２４に記載のＲＲＣ接続をサスペンドする装置。
【請求項３０】
前記決定ユニットは、前記第２ノードが、Ｍ（Ｍは正の整数である）個の前記第２ノード側のサービスベアラに対応するバッファ領域サイズが０に等しいバッファ領域状態レポートを継続的に受信する場合、前記第２ノード側のサービスが第１状態にあると決定するように構成される、
請求項２４ないし２９のいずれか一項に記載のＲＲＣ接続をサスペンドする装置。
【請求項３１】
前記決定ユニットは、前記第２ノード側のサービスベアラに対応する最初のバッファ領域サイズが０に等しいバッファ領域状態レポートを受信すると、第３タイマを開始し、前記第３タイマの動作中に、前記第２ノード側のサービスベアラに対応するバッファ領域サイズが０に等しくないというバッファ領域状態レポートを受信した場合、前記第３タイマを停止するように構成され、前記第３タイマの停止をトリガする前に、前記第３タイマが期限切れになった場合、前記第２ノード側のサービスが第１状態にあると決定する、
請求項２４ないし３０のいずれか一項に記載のＲＲＣ接続をサスペンドする装置。
【請求項３２】
前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである、
請求項２４ないし３１のいずれか一項に記載のＲＲＣ接続をサスペンドする装置。
【請求項３３】
コンピュータ実行可能な命令が記憶される、コンピュータ記憶媒体であって、
当該コンピュータ実行可能な命令がプロセッサによって実行されると、請求項１ないし７のいずれか一項に記載の方法のステップ、または請求項８ないし１６のいずれか一項に記載の方法のステップを実現する、前記コンピュータ記憶媒体。
【発明の詳細な説明】
【技術分野】
【０００１】
本発明は、無線通信の技術分野に関し、特に、無線リソース制御（ＲＲＣ：Ｒａｄｉｏ  Ｒｅｓｏｕｒｃｅ  Ｃｏｎｔｒｏｌ）接続をサスペンドする方法および装置、コンピュータ記憶媒体に関する。
【背景技術】
【０００２】
サービスのスピード、遅延、高速モビリティ、エネルギ効率に対する人々の追求、および未来の生活におけるサービスの多様性や複雑さを満たすために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）国際標準化機構は、第５世代（５Ｇ：５ｔｈ  Ｇｅｎｅｒａｔｉｏｎ）モバイル通信技術の開発を開始する。
【０００３】
５Ｇモバイル通信技術の主な適用シナリオは、強化されたモバイルブロードバンド（ｅＭＢＢ：Ｅｎｈａｎｃｅ  Ｍｏｂｉｌｅ  Ｂｒｏａｄｂａｎｄ）、超高信頼性低遅延通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）である。
【０００４】
５Ｇネットワーク環境では、エアインターフェイスシグナリングを低下し、無線接続を迅速に回復し、データサービスを迅速に回復する目的のために、新しいＲＲＣ状態、即ち、ＲＲＣ非活性化（ＲＲＣ＿ＩＮＡＣＴＩＶＥ）状態が定義される。当該状態は、ＲＲＣアイドル（ＲＲＣ＿ＩＤＬＥ）状態およびＲＲＣ接続（ＲＲＣ＿ＣＯＮＮＥＣＴＥＤ）状態とは異なる。
【０００５】
ユーザ機器（ＵＥ：Ｕｓｅｒ  Ｅｑｕｉｐｍｅｎｔ）がＲＲＣ＿ＩＮＡＣＴＩＶＥ状態にある場合、ネットワーク側は、専用シグナリングを介してＵＥに対して無線アクセスネットワーク（ＲＡＮ：Ｒａｄｉｏ  Ａｃｃｅｓｓ  Ｎｅｔｗｏｒｋ）のページングエリアを構成し、当該ＲＡＮページングエリアは、１つのセルまたは複数のセルであってもよい。ＵＥが当該エリアで移動する場合、ネットワーク側に通知する必要がなく、アイドル（ｉｄｌｅ）状態でのモビリティ動作、即ち、セルの選択と再選択の原則に準拠する。ＵＥが、ＲＡＮによって構成されたページングエリアから移動して出て来る場合、ＲＲＣ接続を回復し、ＲＡＮよって構成されたページングエリアを再取得するようにＵＥをトリガする。ＵＥにダウンリンクデータが到着すると、ＵＥに対してＲＡＮとコアネットワーク（ＣＮ：Ｃｏｒｅ  Ｎｅｔｗｏｒｋ）との間の接続を維持するための基地局（ｇＮＢなど）は、ＲＡＮページングエリア内の全てのセルがページングメッセージをＵＥに送信することをトリガして、ＩＮＡＣＴＩＶＣＥ状態にあるＵＥにＲＲＣ接続を回復し、データを受信することができるようにする。
【０００６】
したがって、ＵＥがＩＮＡＣＴＩＶＥ状態からＲＲＣ接続状態に入るには、次の３つの状況がある。
【０００７】
最初の状況として、ＵＥにダウンリンクデータが到着し、ネットワーク側がＲＡＮ側へのページングを開始して、ＵＥが接続状態に入るように促す。
【０００８】
２番目の状況として、ＵＥ自体が、定期的なＲＡＮロケーション更新またはクロスエリアロケーション更新などの、ＲＡＮロケーションエリアの更新を開始する。
【０００９】
３番目の状況として、ＵＥにはアップリンクデータ送信要求があって、ＵＥが接続状態に入るように促す。
【００１０】
より高いサービススピード要件をサポートするために、ネットワーク側は、デュアル接続（ＤＣ：Ｄｕａｌ  Ｃｏｎｎｅｃｔｉｖｉｔｙ）またはマルチ接続（ＭＣ：Ｍｕｌｔｉｐｌｅ  Ｃｏｎｎｅｃｔｉｖｉｔｙ）をサポートする。しかし、ＤＣ／ＭＣ接続モードのＵＥにとっては、ＩＮＡＣＴＩＶＥ状態をサポートする方法が解決する必要のある技術的課題である。
【発明の概要】
【発明が解決しようとする課題】
【００１１】
上記の技術的課題を解決するために、本発明の実施例は、ＲＲＣ接続をサスペンドする方法および装置、コンピュータ記憶媒体を提供する。
【課題を解決するための手段】
【００１２】
本発明の実施例で提供されたＲＲＣ接続をサスペンドする方法は、
第１ノードが、前記第１ノード側のサービスが第１状態にあると決定した場合、前記第１ノードは、ＲＲＣ接続をサスペンドする必要があると決定することと、
前記第１ノードが第１通知メッセージを第２ノードに送信し、ＲＲＣ接続をサスペンドする必要があるかどうかを前記第２ノードとネゴシエートすることであって、前記第１通知メッセージは、ＲＲＣ接続をサスペンドする必要があると前記第１ノードが決定したことを前記第２ノードに通知するために使用されることと、
前記第１ノードが、ＲＲＣ接続をサスペンドする必要があることを前記第２ノードとネゴシエートする場合、前記第１ノードは、第１サスペンドコマンドを端末機器に送信することであって、前記第１サスペンドコマンドは、ＲＲＣ接続をサスペンドし、およびＲＲＣ非活性化状態に入るように前記端末機器をトリガするために使用されることとを含む。
【００１３】
本発明の一実施形態において、前記第１ノードが、前記第１ノード側のサービスが第１状態にあると決定することは、
前記第１ノードが、Ｎ（Ｎは正の整数である）個の前記第１ノード側のサービスベアラに対応するバッファ領域サイズが０に等しいバッファ領域状態レポートを継続的に受信する場合、前記第１ノード側のサービスが第１状態にあると決定することを含む。
【００１４】
本発明の一実施形態において、前記第１ノードが、前記第１ノード側のサービスが第１状態にあると決定することは、
前記第１ノードが、前記第１ノード側のサービスベアラに対応する最初のバッファ領域サイズが０に等しいバッファ領域状態レポートを受信すると、第１タイマを開始することと、
前記第１タイマの動作中に、前記第１ノードが、前記第１ノード側のサービスベアラに対応するバッファ領域サイズが０に等しくないというバッファ領域状態レポートを受信した場合、前記第１タイマを停止することとを含み、
ここで、前記第１タイマの停止をトリガする前に、前記第１タイマが期限切れになった場合、前記第１ノード側のサービスが第１状態にあると決定する。
【００１５】
本発明の一実施形態において、前記ＲＲＣ接続をサスペンドする必要があるかどうかを前記第２ノードとネゴシエートすることは、
前記第２ノード側のサービスが第１状態にない場合、前記第１ノードは、前記第２ノードによって送信された第２通知メッセージを受信することを含み、前記第２通知メッセージは、ＲＲＣ接続をサスペンドすることができないことを前記第１ノードに通知するために使用される。
【００１６】
本発明の一実施形態において、前記ＲＲＣ接続をサスペンドする必要があるかどうかを前記第２ノードとネゴシエートすることは、
前記第２ノード側のサービスが第１状態にある場合、前記第１ノードは、前記第２ノードによって送信された第３通知メッセージを受信することを含み、前記第３通知メッセージは、ＲＲＣ接続をサスペンドすることができることを前記第１ノードに通知するために使用される。
【００１７】
本発明の一実施形態において、前記ＲＲＣ接続をサスペンドする必要があるかどうかを前記第２ノードとネゴシエートすることは、
前記第２ノード側のサービスが第１状態にある場合、前記第１ノードは、前記第２ノードによって構成された第２タイマを受信し、前記第２タイマを開始することと、
前記第２タイマの動作中に、前記第２ノード側に前記第１状態にあるサービスが生成された場合、前記第１ノードは、前記第２ノードによって送信された第１指示メッセージを受信することであって、前記第１指示メッセージは、前記第２タイマを停止するように前記第１ノードに指示するために使用されることとを含み、
ここで、前記第２タイマの停止をトリガする前に、前記第２タイマが期限切れになった場合、前記第１ノードは、前記第１サスペンドコマンドを端末機器に送信する。
【００１８】
本発明の一実施形態において、前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである。
【００１９】
本発明の実施例で提供されたＲＲＣ接続をサスペンドする方法は、
第２ノードが、前記第２ノード側のサービスが第１状態にあると決定し、且つ前記第２ノードが、ＲＲＣ接続の一部をサスペンドする必要があると第１ノードとネゴシエートし、または前記第２ノードが、ＲＲＣ接続の一部をサスペンドする必要があると決定した場合、前記第２ノードは、第２サスペンドコマンドを端末機器に送信することを含み、前記第２サスペンドコマンドは、ＲＲＣ接続の一部をサスペンドし、および部分的なＲＲＣ非活性化状態に入るように前記端末機器をトリガするために使用され、ここで、前記ＲＲＣ接続の一部をサスペンドすることとは、セカンダリセルグループ（ＳＣＧ：Ｓｅｃｏｎｄａｒｙ  Ｃｅｌｌ  Ｇｒｏｕｐ）のリソースをサスペンドする。
【００２０】
本発明の一実施形態において、前記方法は、
前記第２ノードが、全てのＲＲＣ接続をサスペンドする必要があると前記第１ノードとネゴシエートする場合、前記第１ノードを介して第３サスペンドコマンドを前記端末機器に送信することをさらに含み、前記第３サスペンドコマンドは、全てのＲＲＣ接続をサスペンドし、およびＲＲＣ非活性化状態に入るように前記端末機器をトリガするために使用される。
【００２１】
本発明の一実施形態において、前記方法は、
前記第２ノードが、第４通知メッセージを前記第１ノードに送信し、ＲＲＣ接続をサスペンドする必要があるかどうかを前記第１ノードとネゴシエートすることをさらに含み、前記第４通知メッセージは、ＲＲＣ接続をサスペンドする必要があると前記第２ノードが決定したことを前記第１ノードに通知するために使用される。
【００２２】
本発明の一実施形態において、前記ＲＲＣ接続をサスペンドする必要があるかどうかを前記第１ノードとネゴシエートすることは、
前記第１ノード側のサービスが第１状態にある場合、前記第１ノードは、全てのＲＲＣ接続をサスペンドする必要があると決定することと、
前記第１ノード側のサービスが第１状態にない場合、前記第１ノードは、ＲＲＣ接続の一部をサスペンドする必要があると決定し、前記第２ノードは、前記第１ノードによって送信された第５通知メッセージを受信することであって、前記第５通知メッセージは、ＲＲＣ接続の一部をサスペンドすることを前記第２ノードに通知するために使用されることとを含む。
【００２３】
本発明の一実施形態において、前記方法は、
前記第２ノードが、前記第２サスペンドコマンドを前記端末機器に送信した後に、第６通知メッセージを前記第１ノードに送信することをさらに含み、前記第６通知メッセージは、前記端末機器が部分的なＲＲＣ非活性化状態に入ることを前記第１ノードに通知するために使用される。
【００２４】
本発明の一実施形態において、前記第２ノードが、ＲＲＣ接続の一部をサスペンドする必要があると決定した後に、前記方法は、
前記第２ノードが、第７通知メッセージを前記第１ノードに送信することをさらに含み、前記第７通知メッセージは、ＲＲＣ接続の一部をサスペンドする必要があることを前記第１ノードに通知するために使用される。
【００２５】
本発明の一実施形態において、前記第２ノードが、前記第２ノード側のサービスが第１状態にあると決定することは、
前記第２ノードが、Ｍ（Ｍは正の整数である）個の前記第２ノード側のサービスベアラに対応するバッファ領域サイズが０に等しいバッファ領域状態レポートを継続的に受信する場合、前記第２ノード側のサービスが第１状態にあると決定することを含む。
【００２６】
本発明の一実施形態において、前記第２ノードが、前記第２ノード側のサービスが第１状態にあると決定することは、
前記第２ノードが、前記第２ノード側のサービスベアラに対応する最初のバッファ領域サイズが０に等しいバッファ領域状態レポートを受信すると、第３タイマを開始することと、
前記第３タイマの動作中に、前記第２ノードが、前記第２ノード側のサービスベアラに対応するバッファ領域サイズが０に等しくないというバッファ領域状態レポートを受信した場合、前記第３タイマを停止することとを含み、
ここで、前記第３タイマの停止をトリガする前に、前記第３タイマが期限切れになった場合、前記第２ノード側のサービスが第１状態にあると決定する。
【００２７】
本発明の一実施形態において、前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである。
【００２８】
本発明の実施例で提供されたＲＲＣ接続をサスペンドする装置は、
第１ノード側のサービスが第１状態にあると決定した場合、ＲＲＣ接続をサスペンドする必要があると決定するように構成される決定ユニットと、
第１通知メッセージを第２ノードに送信し、ＲＲＣ接続をサスペンドする必要があるかどうかを前記第２ノードとネゴシエートするように構成されるネゴシエートユニットであって、前記第１通知メッセージは、ＲＲＣ接続をサスペンドする必要があると前記第１ノードが決定したことを前記第２ノードに通知するために使用されるネゴシエートユニットと、
ＲＲＣ接続をサスペンドする必要があることを第２ノードとネゴシエートする場合、第１サスペンドコマンドを端末機器に送信するように構成される制御ユニットであって、前記第１サスペンドコマンドは、ＲＲＣ接続をサスペンドし、およびＲＲＣ非活性化状態に入るように前記端末機器をトリガするために使用される制御ユニットとを備える。
【００２９】
本発明の一実施形態において、前記決定ユニットは、
前記第１ノードが、Ｎ（Ｎは正の整数である）個の前記第１ノード側のサービスベアラに対応するバッファ領域サイズが０に等しいバッファ領域状態レポートを継続的に受信する場合、前記第１ノード側のサービスが第１状態にあると決定するように構成される第１決定サブユニットを備える。
【００３０】
本発明の一実施形態において、前記決定ユニットは、
前記第１ノード側のサービスベアラに対応する最初のバッファ領域サイズが０に等しいバッファ領域状態レポートを受信すると、第１タイマを開始し、前記第１タイマの動作中に、前記第１ノード側のサービスベアラに対応するバッファ領域サイズが０に等しくないというバッファ領域状態レポートを受信した場合、前記第１タイマを停止するように構成される第２決定サブユニットを備え、前記第１タイマの停止をトリガする前に、前記第１タイマが期限切れになった場合、前記第１ノード側のサービスが第１状態にあると決定する。
【００３１】
本発明の一実施形態において、前記ネゴシエートユニットは、前記第２ノード側のサービスが第１状態にない場合、前記第２ノードによって送信された第２通知メッセージを受信するように構成され、前記第２通知メッセージは、ＲＲＣ接続をサスペンドすることができないことを前記第１ノードに通知するために使用される。
【００３２】
本発明の一実施形態において、前記ネゴシエートユニットは、さらに、前記第２ノード側のサービスが第１状態にある場合、前記第２ノードによって送信された第３通知メッセージを受信するように構成され、前記第３通知メッセージは、ＲＲＣ接続をサスペンドすることができることを前記第１ノードに通知するために使用される。
【００３３】
本発明の一実施形態において、前記ネゴシエートユニットは、さらに、前記第２ノード側のサービスが第１状態にある場合、前記第２ノードによって構成された第２タイマを受信し、前記第２タイマを開始し、前記第２タイマの動作中に、前記第２ノード側に前記第１状態にあるサービスが生成された場合、前記第２ノードによって送信された第１指示メッセージを受信するように構成され、前記第１指示メッセージは、前記第２タイマを停止するように前記第１ノードに指示するために使用され、前記第２タイマの停止をトリガする前に、前記第２タイマが期限切れになった場合、前記制御ユニットは、前記第１サスペンドコマンドを端末機器に送信する。
【００３４】
本発明の一実施形態において、前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである。
【００３５】
本発明の実施例で提供されたＲＲＣ接続をサスペンドする装置は、
第２ノード側のサービスが第１状態にあると決定するように構成される決定ユニットと、
ＲＲＣ接続の一部をサスペンドする必要があることを第１ノードネゴシエートとネゴシエートし、またはＲＲＣ接続の一部をサスペンドする必要があると決定した場合、第２サスペンドコマンドを端末機器に送信するように構成される制御ユニットであって、前記第２サスペンドコマンドは、ＲＲＣ接続の一部をサスペンドし、および部分的なＲＲＣ非活性化状態に入るように前記端末機器をトリガするために使用され、前記ＲＲＣ接続の一部をサスペンドすることとは、ＳＣＧのリソースをサスペンドすることを指す制御ユニットとを備える。
【００３６】
本発明の一実施形態において、前記第２ノードが、全てのＲＲＣ接続をサスペンドする必要があると前記第１ノードとネゴシエートする場合、前記第１ノードを介して第３サスペンドコマンドを前記端末機器に送信し、前記第３サスペンドコマンドは、全てのＲＲＣ接続をサスペンドし、およびＲＲＣ非活性化状態に入るように前記端末機器をトリガするために使用される。
【００３７】
本発明の一実施形態において、前記装置は、
第４通知メッセージを第１ノードに送信し、ＲＲＣ接続をサスペンドする必要があるかどうかを前記第１ノードとネゴシエートするように構成されるネゴシエートユニットをさらに備え、前記第４通知メッセージは、ＲＲＣ接続をサスペンドする必要があると前記第２ノードが決定したことを前記第１ノードに通知するために使用される。
【００３８】
本発明の一実施形態において、前記ＲＲＣ接続をサスペンドする必要があるかどうかを前記第１ノードとネゴシエートすることは、
前記第１ノード側のサービスが第１状態にある場合、前記第１ノードは、全てのＲＲＣ接続をサスペンドする必要があると決定することと、
前記第１ノード側のサービスが第１状態にない場合、前記第１ノードは、ＲＲＣ接続の一部をサスペンドする必要があると決定し、前記第１ノードによって送信された第５通知メッセージを受信することであって、前記第５通知メッセージは、ＲＲＣ接続の一部をサスペンドすることを前記第２ノードに通知するために使用されることとを含む。
【００３９】
本発明の一実施形態において、前記制御ユニットは、さらに、前記第２サスペンドコマンドを前記端末機器に送信した後に、第６通知メッセージを前記第１ノードに送信するように構成され、前記第６通知メッセージは、前記端末機器が部分的なＲＲＣ非活性化状態に入ることを前記第１ノードに通知するために使用される。
【００４０】
本発明の一実施形態において、前記ネゴシエートユニットは、さらに、ＲＲＣ接続の一部をサスペンドする必要があると決定した後に、第７通知メッセージを前記第１ノードに送信するように構成され、前記第７通知メッセージは、ＲＲＣ接続の一部をサスペンドする必要があることを前記第１ノードに通知するために使用される。
【００４１】
本発明の一実施形態において、前記決定ユニットは、前記第２ノードが、Ｍ（Ｍは正の整数である）個の前記第２ノード側のサービスベアラに対応するバッファ領域サイズが０に等しいバッファ領域状態レポートを継続的に受信する場合、前記第２ノード側のサービスが第１状態にあると決定するように構成される。
【００４２】
本発明の一実施形態において、前記決定ユニットは、前記第２ノード側のサービスベアラに対応する最初のバッファ領域サイズが０に等しいバッファ領域状態レポートを受信すると、第３タイマを開始し、前記第３タイマの動作中に、前記第２ノード側のサービスベアラに対応するバッファ領域サイズが０に等しくないというバッファ領域状態レポートを受信した場合、前記第３タイマを停止するように構成され、前記第３タイマの停止をトリガする前に、前記第３タイマが期限切れになった場合、前記第２ノード側のサービスが第１状態にあると決定するように構成される。
【００４３】
本発明の一実施形態において、前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである。
【００４４】
本発明の実施例で提供されたコンピュータ記憶媒体には、コンピュータ実行可能な命令が記憶され、当該コンピュータ実行可能な命令がプロセッサによって実行されると、上記のＲＲＣ接続をサスペンドする方法を実現する。
【００４５】
本発明の実施例の技術的解決策は、次に述べるようである。
【００４６】
１、第１ノードが、前記第１ノード側のサービスが第１状態にあると決定した場合、前記第１ノードは、ＲＲＣ接続をサスペンドする必要があると決定し、前記第１ノードが第１通知メッセージを前記第２ノードに送信し、ＲＲＣ接続をサスペンドする必要があるかどうかを前記第２ノードとネゴシエートし、ここで、前記第１通知メッセージは、ＲＲＣ接続をサスペンドする必要があると前記第１ノードが決定したことを前記第２ノードに通知するために使用され、前記第１ノードが、ＲＲＣ接続をサスペンドする必要があることを前記第２ノードとネゴシエートする場合、前記第１ノードは、第１サスペンドコマンドを端末機器に送信する。前記第１サスペンドコマンドは、ＲＲＣ接続をサスペンドし、およびＲＲＣ非活性化状態に入るように前記端末機器をトリガするために使用される。
【００４７】
２、前記第２ノードが、前記第２ノード側のサービスが第１状態にあると決定した場合、前記第２ノードは、ＲＲＣ接続をサスペンドする必要があると決定し、前記第２ノードは、第４通知メッセージを第１ノードに送信し、ＲＲＣ接続をサスペンドする必要があるかどうかを前記第１ノードとネゴシエートし、ここで、前記第４通知メッセージは、ＲＲＣ接続をサスペンドする必要があると前記第２ノードが決定したことを前記第１ノードに通知するために使用され、前記第２ノードが、ＲＲＣ接続の一部をサスペンドする必要があることを前記第１ノードとネゴシエートする場合、前記第２ノードは、第２サスペンドコマンドを端末機器に送信し、前記第２サスペンドコマンドは、ＲＲＣ接続の一部をサスペンドし、および部分的なＲＲＣ非活性化状態に入るように前記端末機器をトリガするために使用される。ここで、前記ＲＲＣ接続の一部をサスペンドすることとは、ＳＣＧのリソースをサスペンドすることを指す。前記第２ノードが、全てのＲＲＣ接続をサスペンドする必要があると前記第１ノードとネゴシエートする場合、前記第１ノードを介して第３サスペンドコマンドを前記端末機器に送信し、前記第３サスペンドコマンドは、全てのＲＲＣ接続をサスペンドし、およびＲＲＣ非活性化状態に入るように前記端末機器をトリガするために使用される。本発明の実施例の技術的解決策を使用して、完全なＲＲＣ  ＩＮＡＣＴＩＶＥ状態（ＲＲＣ  ＩＮＡＣＴＩＶＥ状態と略称する）および部分的なＲＲＣ  ＩＮＡＣＴＩＶＥ状態に入るようにＵＥをサポートして、ＵＥがＤＣ／ＭＣモードでのＩＮＡＣＴＩＶＥ状態をサポートし、ＤＣ／ＭＣモードのＲＲＣ接続を迅速に回復する目的を達成することにより、ＲＲＣ接続確立遅延およびユーザプレーンサービスの中断遅延を短縮することができる。さらに、部分的なＲＲＣ  ＩＮＡＣＴＩＶＥ状態の導入により、ＵＥの電力消費を節約するという目的を実現することができる。
【図面の簡単な説明】
【００４８】
ここで説明した図面は、更なる理解を提供するために使用され、本出願の一部を構成し、本発明の例示的な実施例およびそれらの説明は、本発明を説明するために使用され、本発明に対して不当な限定を構成しない。
【図１】ＲＲＣ接続回復プロセスの概略図である。
【図２】本発明の実施例のＲＲＣ接続をサスペンドする方法の第１の例示的なフローチャートである。
【図３】本発明の実施例のＲＲＣ接続をサスペンドする方法の第２の例示的なフローチャートである。
【図４】本発明の実施例のＲＲＣ接続をサスペンドする方法の第３の例示的なフローチャートである。
【図５】本発明の実施例のＲＲＣ接続をサスペンドする方法の第４の例示的なフローチャートである。
【図６】本発明の実施例のＲＲＣ接続をサスペンドする装置の構成の第１の概略的な構造図である。
【図７】本発明の実施例のＲＲＣ接続をサスペンドする装置の構成の第２の概略的な構造図である。
【図８】本発明の実施例のコンピュータ機器の構成の概略的な構造図である。
【発明を実施するための形態】
【００４９】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００５０】
本発明の実施例の技術案は、主に、５Ｇモバイル通信システムに適用され、もちろん、本発明の実施例の技術案は、５Ｇモバイル通信システムに限定されず、他のタイプのモバイル通信システムに適用されることもできる。以下、５Ｇモバイル通信システムにおける主な適用シナリオについて説明する。
【００５１】
１、ｅＭＢＢシナリオ：ｅＭＢＢは、ユーザがマルチメディアのコンテンツ、サービスおよびデータを取得することをターゲットとし、それらに対するサービスニーズは急速に高まる。ｅＭＢＢが、屋内、市街地および田舎などの異なるシナリオに構成される可能性があり、それらのサービス機能およびニーズの差が大きいため、具体的な構成シナリオを組み合わせて分析する必要がある。
【００５２】
２）ＵＲＬＬＣシナリオ：ＵＲＬＬＣの一般的な適用は、産業用自動化、電力自動化、遠隔医療操作および交通安全保障などを含む。
【００５３】
３）ｍＭＴＣシナリオ：ＵＲＬＬＣの一般的な特徴は、高い接続密度、少ないデータ量、遅延に鈍感なサービス、モジュールの低コストおよび長い使用寿命などを含む。
【００５４】
以下では、５Ｇネットワーク環境における３つのＲＲＣ状態について説明する。
【００５５】
１）ＲＲＣ＿ＩＤＬＥ状態：モビリティは、ＵＥベースのセルの選択と再選択であり、ページングはＣＮによって開始され、ページングエリアはＣＮによって構成される。基地局側にはＵＥ  ＡＳのコンテキストが存在しない。ＲＲＣ接続が存在しない。
【００５６】
２）ＲＲＣ＿ＣＯＮＮＥＣＴＥＤ状態：ＲＲＣ接続が存在すると、基地局およびＵＥにはＵＥ  ＡＳのコンテキストが存在する。ネットワーク側は、ＵＥの位置が特定セルレベルであることを認識している。モビリティは、ネットワーク側によって制御されるモビリティである。ＵＥと基地局の間ではユニキャストデータを伝送することができる。
【００５７】
３）ＲＲＣ＿ＩＮＡＣＴＩＶＥ状態：モビリティは、ＵＥベースのセルの選択と再選択であり、ＣＮとＲＡＮとの間の接続が存在し、ＵＥ  ＡＳのコンテキストは、特定の基地局上に存在し、ページングはＲＡＮによってトリガされ、ＲＡＮベースのページングエリアはＲＡＮによって管理され、ネットワーク側は、ＵＥの位置がＲＡＮのページングエリアレベルに基づくものであることを認識している。
【００５８】
図１は、ＲＲＣ接続回復プロセスの概略図であり、図１に示されたように、ＲＲＣ接続回復プロセスには、次のプロセスが含まれる。
【００５９】
ステップ１０１において、ＵＥがＩＮＡＣＴＩＶＥ状態にあり、ＲＲＣ接続を回復する必要がある。
【００６０】
ステップ１０２において、ＵＥが、プリアンブル（ｐｒｅａｍｂｌｅ）をｇＮＢに送信する。
【００６１】
ステップ１０３において、ｇＮＢが、ランダムアクセス応答（ＲＡＲ：Ｒａｎｄｏｍ  Ａｃｃｅｓｓ  Ｒｅｓｐｏｎｓｅ）をＵＥに送信する。
【００６２】
ステップ１０４において、ＵＥが、ＲＲＣ回復要求メッセージ（ＲＲＣ  Ｃｏｎｎｅｃｔｉｏｎ  Ｒｅｓｕｍｅ  Ｒｅｑｕｅｓｔ）をｇＮＢに送信する。
【００６３】
ステップ１０５において、ｇＮＢがアンカｇＮＢ（ａｎｃｈｏｒ  ｇＮＢ）にＵＥのコンテキスト情報を要求する。
【００６４】
ステップ１０６において、ｇＮＢが、ＲＲＣ接続回復メッセージ（ＲＲＣ  Ｃｏｎｎｅｃｔｉｏｎ  Ｒｅｓｕｍｅ）をＵＥに送信する。
【００６５】
ステップ１０７において、ＵＥが、ＲＲＣ接続（ＲＲＣ＿ＣＯＮＮＥＣＴＥＤ）状態に入る。
【００６６】
ステップ１０８において、ＵＥが、ＲＲＣ接続回復完了メッセージ（ＲＲＣ  Ｃｏｎｎｅｃｔｉｏｎ  Ｒｅｓｕｍｅ  Ｃｏｍｐｌｅｔｅ）をｇＮＢに送信する。
【００６７】
本発明の実施例の技術的解決策は、完全なＲＲＣ接続のサスペンド、および部分的なＲＲＣ接続のサスペンドの２つの新しい概念を定義し、ネットワーク側およびＵＥ側がＩＮＡＣＴＩＶＥ状態をサポートすることができるようにする。完全なＲＲＣ接続サスペンドは、全てのＲＲＣ接続をサスペンドすることを指し、部分的なＲＲＣ接続のサスペンドは、部分的なＲＲＣ接続をサスペンドすることを指し、さらに、前記ＲＲＣ接続の一部をサスペンドすることとは、ＳＣＧのリソースをサスペンドすることを指すことに留意されたい。
【００６８】
図２は、本発明の実施例のＲＲＣ接続をサスペンドする方法の第１の例示的なフローチャートであり、図２に示されたように、前記ＲＲＣ接続をサスペンドする方法は、次のステップを含む。
【００６９】
ステップ２０１において、第１ノードが、前記第１ノード側のサービスが第１状態にあると決定した場合、前記第１ノードは、ＲＲＣ接続をサスペンドする必要があると決定する。
【００７０】
本発明の実施例では、前記第１ノードは、デュアル接続（ＤＣ）ネットワークまたはマルチ接続（ＭＣ）ネットワークにおけるマスタノード（ＭＮ）であり、前記第２ノードは、デュアル接続ネットワークまたはマルチ接続ネットワークにおけるセカンダリノード（ＳＮ）である。本発明の実施例は、ＭＮの初期のＲＲＣ接続サスペンドプロセスであり、具体的に、サービスが第１状態にあることをＭＮ側によって検出されたときに、トリガされたＲＲＣ接続サスペンドプロセスである。ここで、サービスの第１状態は、サービスが非アクティブ状態にあり、第１状態に対して、第２状態と呼ばれる別の状態、即ち、アクティブ状態がある。以下の本発明の実施例で言及されるサービスが第１状態ではないこととは、サービスがアクティブ状態にあることを指すことを理解されたい。
【００７１】
本発明の実施例において、前記第１ノードは、次の方式により、前記第１ノード側のサービスが第１状態にあると決定することができる。
【００７２】
最初の方式として、前記第１ノードが、Ｎ（Ｎは正の整数である）個の前記第１ノード側のサービスベアラに対応するバッファ領域サイズが０に等しい（即ち、ＢＳＲ＝０である）バッファ領域状態レポートを継続的に受信する場合、前記第１ノード側のサービスが第１状態にあると決定する。
【００７３】
例えば、ＭＮ側が、Ｎ個のＭＮ側サービスベアラに対応するＢＳＲ＝０のレポートを継続的に受信する場合、ＭＮは、ＲＲＣ接続をサスペンドすると決定し、その後、ＳＮに通知して当該判决をＳＮとネゴシエートする。
【００７４】
２番目の方式として、前記第１ノードが、前記第１ノード側のサービスベアラに対応する最初のバッファ領域サイズが０に等しいバッファ領域状態レポートを受信すると、第１タイマを開始する。前記第１タイマの動作中に、前記第１ノードが、前記第１ノード側のサービスベアラに対応するバッファ領域サイズが０に等しくないというバッファ領域状態レポートを受信した場合、前記第１タイマを停止し、ここで、前記第１タイマの停止をトリガする前に、前記第１タイマが期限切れになった場合、前記第１ノード側のサービスが第１状態にあると決定する。
【００７５】
例えば、ＭＮ側が、ＭＮ側のサービスベアラに対応する最初のＢＳＲ＝０のレポートを受信し、タイマ（ｔｉｍｅｒ１）を開始し、ＭＮ側のサービスベアラに対応するＢＳＲ≠０のレポートを再受信した場合、タイマ（ｔｉｍｅｒ１）を停止する。当該タイマ（ｔｉｍｅｒ１）の期限が切れた場合、ＭＮは、ＲＲＣ接続をサスペンドすると決定し、ＳＮに通知して当該決定をＳＮとネゴシエートする。
【００７６】
ステップ２０２において、前記第１ノードが第１通知メッセージを前記第２ノードに送信し、ＲＲＣ接続をサスペンドする必要があるかどうかを前記第２ノードとネゴシエートし、ここで、前記第１通知メッセージは、ＲＲＣ接続をサスペンドする必要があると前記第１ノードが決定したことを前記第２ノードに通知するために使用される。
【００７７】
本発明の実施例では、前記ＲＲＣ接続をサスペンドする必要があるかどうかを前記第２ノードとネゴシエートすることは、具体的に、次のステップを含む。
【００７８】
１）前記第２ノード側のサービスが第１状態にない場合、前記第１ノードは、前記第２ノードによって送信された第２通知メッセージを受信し、前記第２通知メッセージは、ＲＲＣ接続をサスペンドすることができないことを前記第１ノードに通知するために使用される。
【００７９】
例えば、ＳＮ側のサービスがアクティブである場合、ＳＮは、アクティブサービスが存在し、ＲＲＣ接続をサスペンドすることができないことをＭＮに通知する。
【００８０】
２）前記第２ノード側のサービスが第１状態にある場合、前記第１ノードは、前記第２ノードによって送信された第３通知メッセージを受信し、前記第３通知メッセージは、ＲＲＣ接続をサスペンドすることができることを前記第１ノードに通知するために使用される。
【００８１】
例えば、ＳＮ側のサービスがアクティブではない場合、ＳＮは、ＲＲＣ接続をすぐにサスペンドすることができることをＭＮに通知する。
【００８２】
３）前記第２ノード側のサービスが第１状態にある場合、前記第１ノードは、前記第２ノードによって構成された第２タイマを受信し、前記第２タイマを開始し、前記第２タイマの動作中に、前記第２ノード側に前記第１状態にあるサービスが生成された場合、前記第１ノードは、前記第２ノードによって送信された第１指示メッセージを受信し、前記第１指示メッセージは、前記第２タイマを停止するように前記第１ノードに指示するために使用され、ここで、前記第２タイマの停止をトリガする前に、前記第２タイマが期限切れになった場合、前記第１ノードは、前記第１サスペンドコマンドを端末機器に送信する。
【００８３】
例えば、ＳＮ側のサービスがアクティブではない場合、ＳＮは、ＭＮに対して１つのタイマ（ｔｉｍｅｒ２）を構成し、ＭＮは、ｔｉｍｅｒ２を受信すると、当該ｔｉｍｅｒ２を開始させ、期限が切れた場合、ＭＮは、ＲＲＣをサスペンドするコマンドをＵＥに配信する。タイマの動作中に、ＳＮ側でアクティブなサービスが生成された場合、ＳＮは、タイマ（ｔｉｍｅｒ２）を停止することをＭＮに通知する。
【００８４】
ステップ２０３において、前記第１ノードが、ＲＲＣ接続をサスペンドする必要があることを前記第２ノードとネゴシエートする場合、前記第１ノードは、第１サスペンドコマンドを端末機器に送信し、前記第１サスペンドコマンドは、ＲＲＣ接続をサスペンドし、およびＲＲＣ非活性化状態に入るように前記端末機器をトリガするために使用される。
【００８５】
例えば、ＭＮは、ＲＲＣ  ｒｅｌｅａｓｅメッセージを介して、ＲＲＣをサスペンドするコマンドをＵＥに配信し、ＩＮＡＣＴＩＶＥ状態に入ることをＵＥに通知する。
【００８６】
図３は、本発明の実施例のＲＲＣ接続をサスペンドする方法の第２の例示的なフローチャートであり、図３に示されたように、前記ＲＲＣ接続をサスペンドする方法は、次のステップを含む。
【００８７】
ステップ３０１において、第２ノードが、前記第２ノード側のサービスが第１状態にあると決定し、且つ前記第２ノードが、ＲＲＣ接続の一部をサスペンドする必要があると第１ノードとネゴシエートし、または前記第２ノードが、ＲＲＣ接続の一部をサスペンドする必要があると決定した場合、前記第２ノードは、第２サスペンドコマンドを端末機器に送信し、前記第２サスペンドコマンドは、ＲＲＣ接続の一部をサスペンドし、および部分的なＲＲＣ非活性化状態に入るように前記端末機器をトリガするために使用され、ここで、前記ＲＲＣ接続の一部をサスペンドすることとは、ＳＣＧのリソースをサスペンドすることを指す。
【００８８】
本発明の実施例では、前記第１ノードは、デュアル接続（ＤＣ）ネットワークまたはマルチ接続（ＭＣ）ネットワークにおけるマスタノード（ＭＮ）であり、前記第２ノードは、デュアル接続ネットワークまたはマルチ接続ネットワークにおけるセカンダリノード（ＳＮ）である。本発明の実施例は、ＳＮの初期のＲＲＣ接続サスペンドプロセスであり、具体的に、ＳＮ側によって検出されたサービスが第１状態にあるときにトリガされたＲＲＣ接続サスペンドプロセスである。ここで、サービスの第１状態は、サービスが非アクティブ状態にあり、第１状態と比較して、第２状態と呼ばれる別の状態、即ち、アクティブ状態がある。本発明の以下の実施例で述べたサービスが第１状態ではないこととは、サービスがアクティブ状態にあることを指すことを理解されたい。
【００８９】
本発明の実施例において、前記第２ノードは、次の方式により、前記第２ノード側のサービスが第１状態にあると決定することができる。
【００９０】
最初の方式において、前記第２ノードが、Ｍ（Ｍは正の整数である）個の前記第２ノード側のサービスベアラに対応するバッファ領域サイズが０に等しい（即ち、ＢＳＲ＝０である）バッファ領域状態レポートを継続的に受信する場合、前記第２ノード側のサービスが第１状態にあると決定する。
【００９１】
例えば、ＳＮ側が、Ｍ個のＳＮ側サービスベアラに対応するＢＳＲ＝０のレポートを継続的に受信する場合、ＳＮは、ＲＲＣ接続をサスペンドすると決定し、その後、ＭＮに通知して当該判决をＭＮとネゴシエートする。
【００９２】
２番目の方式として、前記第２ノードが、前記第２ノード側のサービスベアラに対応する最初のバッファ領域サイズが０に等しいバッファ領域状態レポートを受信すると、第３タイマを開始する前記第３タイマの動作中に、前記第２ノードが、前記第２ノード側のサービスベアラに対応するバッファ領域サイズが０に等しくないというバッファ領域状態レポートを受信した場合、前記第３タイマを停止し、ここで、前記第３タイマの停止をトリガする前に、前記第３タイマが期限切れになった場合、前記第２ノード側のサービスが第１状態にあると決定する。
【００９３】
例えば、ＳＮ側が、ＭＮ側のサービスベアラに対応する最初のＢＳＲ＝０のレポートを受信し、タイマ（ｔｉｍｅｒ３）を開始し、ＳＮ側のサービスベアラに対応するＢＳＲが０と等しくないというレポートを再受信した場合、タイマ（ｔｉｍｅｒ３）を停止する。当該タイマ（ｔｉｍｅｒ３）の期限が切れた場合、ＳＮは、ＲＲＣ接続をサスペンドすると決定し、ＭＮに通知して当該決定をＭＮとネゴシエートする。
【００９４】
本発明の実施例では、ＲＲＣ接続をサスペンドする必要があるかどうかは、２つの実施形態に分かれる。
【００９５】
最初の方式として、第１ノードを介して、全体的なＲＲＣ接続をサスペンドするか、部分的なＲＲＣ接続をサスペンドするかを決定する。具体的に、前記第１ノード側のサービスが第１状態にない場合、前記第１ノードは、ＲＲＣ接続の一部をサスペンドする必要があると決定し、前記第１ノード側のサービスが第１状態にある場合、前記第１ノードは、全体的なＲＲＣ接続をサスペンドする必要があると決定する。
【００９６】
２番目の方式として、第２ノードを介して、ＲＲＣ接続の一部をサスペンドすると決定する。具体的に、在第２ノードが、前記第２ノード側のサービスが第１状態にあると決定した後に、第２ノードは、ＲＲＣ接続の一部をサスペンドすると直接に決定する。
【００９７】
上記の形態において、前記第２ノードが、第４通知メッセージを前記第１ノードに送信し、ＲＲＣ接続をサスペンドする必要があるかどうかを前記第１ノードとネゴシエートし、ここで、前記第４通知メッセージは、ＲＲＣ接続をサスペンドする必要があると前記第２ノードが決定したことを前記第１ノードに通知するために使用される。１、前記第１ノード側のサービスが第１状態にない場合、前記第１ノードは、ＲＲＣ接続の一部をサスペンドする必要があると決定し、前記第２ノードは、前記第１ノードによって送信された第５通知メッセージを受信し、前記第５通知メッセージは、ＲＲＣ接続の一部をサスペンドすることを前記第２ノードに通知するために使用される。例えば、ＭＮにアクティブなサービスが存在する場合、ＭＮは、ＵＥが部分的なＲＲＣ  ＩＮＡＣＴＩＶＥ状態に入ると決定し、即ち、ＳＣＧの部分のみをサスペンドする。ＭＮは、ＲＲＣ接続が一部的にサスペンドすることをＳＮに通知し、ＳＮは、ＳＲＢ３を使用してＳＣＧのリソースをサスペンドする。ＳＮは、サスペンドコマンドをＵＥに配信した後に、ＵＥが部分的なＲＲＣ  ＩＮＡＣＴＩＶＥ状態に入ることに関してＭＮ側に通知する。２、前記第２ノードが、全てのＲＲＣ接続をサスペンドする必要があると前記第１ノードとネゴシエートする場合、前記第１ノードを介して第３サスペンドコマンドを前記端末機器に送信し、前記第３サスペンドコマンドは、全てのＲＲＣ接続をサスペンドし、およびＲＲＣ非活性化状態に入るように前記端末機器をトリガするために使用される。ここで、前記第１ノード側のサービスが第１状態にある場合、前記第１ノードは、全てのＲＲＣ接続をサスペンドする必要があると決定する。例えば、ＭＮ側のサービスがアクティブではない場合、ＭＮは、全てのＲＲＣ接続をサスペンドすると決定し、ＲＲＣをサスペンドするコマンド（例えば、ＲＲＣ  ｒｅｌｅａｓｅメッセージなど）をＵＥに配信し、ＩＮＡＣＴＩＶＥ状態に入ることをＵＥに通知する。さらに、ＵＥがＩＮＡＣＴＩＶＥ状態に入ることに関してＳＮに通知する。
【００９８】
上記の２番目の方式において、前記第２ノードが、ＲＲＣ接続の一部をサスペンドする必要があると決定した後に、第７通知メッセージを前記第１ノードに送信し、前記第７通知メッセージは、ＲＲＣ接続の一部をサスペンドする必要があることを前記第１ノードに通知するために使用される。さらに、前記第２ノードが、ＲＲＣ接続の一部をサスペンドする必要があることを前記第１ノードとネゴシエートする場合、前記第２ノードは、第２サスペンドコマンドを端末機器に送信し（ＳＲＢ３を介してＳＣＧをサスペンドするコマンドをＵＥに送信する）、前記第２サスペンドコマンドは、ＲＲＣ接続の一部をサスペンドし、および部分的なＲＲＣ非活性化状態に入るように前記端末機器をトリガするために使用され、ここで、前記ＲＲＣ接続の一部をサスペンドすることとは、ＳＣＧのリソースをサスペンドすることを指す。
【００９９】
図４は、本発明の実施例のＲＲＣ接続をサスペンドする方法の第３の例示的なフローチャートであり、図４に示されたように、前記ＲＲＣ接続をサスペンドする方法は、次のステップを含む。
【０１００】
ステップ４０１において、ＭＮは、ＭＮ側のサービスがアクティブではないことを検出し、ＳＮに通知する。
【０１０１】
ステップ４０２において、ＭＮは、ＲＲＣ接続をサスペンドするかどうかをＳＮとネゴシエートし、ＲＲＣ接続をサスペンドするようにネゴシエートされた場合、ステップ４０３を実行し、そうでない場合、当該プロセスを終了する。
【０１０２】
ここで、１、ＳＮ側のサービスがアクティブである場合、ＳＮには、アクティブサービスが存在し、ＲＲＣ接続をサスペンドすることができないことをＭＮに通知する。２、ＳＮ側のサービスがアクティブではない場合、ＳＮは、ＲＲＣ接続をすぐにサスペンドすることができることをＭＮに通知する。３、ＳＮ側のサービスがアクティブではない場合、ＳＮは、ＭＮに対して１つのタイマ（ｔｉｍｅｒ２）を構成し、ＭＮは、ｔｉｍｅｒ２を受信すると当該ｔｉｍｅｒ２を開始させ、期限が切れた場合、ＭＮは、ＲＲＣをサスペンドするコマンドをＵＥに配信する。タイマの動作期間に、ＳＮ側でアクティブなサービスが発生する場合、ＳＮは、タイマｔｉｍｅｒ２を停止することをＭＮに通知する。
【０１０３】
ステップ４０３において、ＭＮは、サスペンドコマンドをＵＥに配信して、ＵＥがＩＮＡＣＴＩＶＥ状態に入ることをトリガする。
【０１０４】
図５は、本発明の実施例のＲＲＣ接続をサスペンドする方法の第４の例示的なフローチャートである、図５に示されたように、前記ＲＲＣ接続をサスペンドする方法は、次のステップを含む。
【０１０５】
ステップ５０１において、ＳＮは、ＳＮ側のサービスがアクティブではないことを検出し、ＭＮに通知する。
【０１０６】
ステップ５０２において、ＳＮは、ＲＲＣ接続をサスペンドするかどうかをＭＮとネゴシエートし、ＲＲＣ接続の全てをサスペンドするようにネゴシエートされた場合、ステップ５０３を実行し、ＲＲＣ接続の一部をサスペンドするようにネゴシエートされた場合、ステップ５０４を実行し、そうでない場合、当該プロセスを終了する。
【０１０７】
ここで、ＭＮを介してＲＲＣ接続をサスペンドするかどうかを決定する方式は、次の方式を含む。１、ＭＮ側のサービスもアクティブではない場合、ＭＮは、全てのＲＲＣ接続をサスペンドすると決定することができる。２、ＭＮ側にアクティブなサービスが存在する場合、ＭＮは、ＲＲＣ接続の一部をサスペンドすると決定し、即ち、ＳＣＧをサスペンドする。
【０１０８】
ＳＮを介してＲＲＣ接続をサスペンドするかどうかを決定する方式は、ＳＮがＳＮ側のサービスがアクティブしないことを検出した場合、ＳＮは、ＲＲＣ接続の一部をサスペンドすると直接に決定し、そして、ＳＮ側が非活性化状態（即ち、部分的なＩＮＡＣＴＩＶＥ状態）に入ったことをＭＮに通知する。
【０１０９】
ステップ５０３において、ＭＮまたはＳＮは、サスペンドコマンドをＵＥに配信して、ＵＥがＩＮＡＣＴＩＶＥ状態に入ることをトリガする。
【０１１０】
ここで、ＭＮがＲＲＣ接続をサスペンドするかどうかを決定する場合、ＭＮがサスペンドコマンドをＵＥに配信し、ＳＮがＲＲＣ接続をサスペンドするかどうかを決定する場合、ＳＮがサスペンドコマンドをＵＥに配信する。
【０１１１】
ステップ５０４において、ＳＮは、サスペンドコマンドをＵＥに配信して、ＵＥが部分的なＩＮＡＣＴＩＶＥ状態に入ることをトリガする。
【０１１２】
図６は、本発明の実施例のＲＲＣ接続をサスペンドする装置の構成の第１の概略的な構造図であり、図６に示されたように、前記ＲＲＣ接続をサスペンドする装置は、
第１ノード側のサービスが第１状態にあると決定した場合、ＲＲＣ接続をサスペンドする必要があると決定するように構成される決定ユニット６０１と、
第１通知メッセージを第２ノードに送信する、ＲＲＣ接続をサスペンドする必要があるかどうかを第２ノードとネゴシエートするように構成されるネゴシエートユニット６０２であって、前記第１通知メッセージは、ＲＲＣ接続をサスペンドする必要があると前記第１ノードが決定したことを前記第２ノードに通知するために使用されるネゴシエートユニット６０２と、
ＲＲＣ接続をサスペンドする必要があることを第２ノードとネゴシエートする場合、第１サスペンドコマンドを端末機器に送信するように構成される制御ユニット６０３であって、前記第１サスペンドコマンドは、ＲＲＣ接続をサスペンドし、およびＲＲＣ非活性化状態に入るように前記端末機器をトリガするために使用される制御ユニット６０３とを備える。
【０１１３】
一実施形態において、前記決定ユニット６０１は、
前記第１ノードが、Ｎ（Ｎは正の整数である）個の前記第１ノード側のサービスベアラに対応するバッファ領域サイズが０に等しいバッファ領域状態レポートを継続的に受信する場合、前記第１ノード側のサービスが第１状態にあると決定するように構成される第１決定サブユニット６０１１を備える。
【０１１４】
一実施形態において、前記決定ユニット６０１は、
前記第１ノード側のサービスベアラに対応する最初のバッファ領域サイズが０に等しいバッファ領域状態レポートを受信すると、第１タイマを開始し、前記第１タイマの動作中に、前記第１ノード側のサービスベアラに対応するバッファ領域サイズが０に等しくないというバッファ領域状態レポートを受信した場合、前記第１タイマを停止するように構成される第２決定サブユニット６０１２を備え、前記第１タイマの停止をトリガする前に、前記第１タイマが期限切れになった場合、前記第１ノード側のサービスが第１状態にある。
【０１１５】
一実施形態において、前記ネゴシエートユニット６０２は、前記第２ノード側のサービスが第１状態にない場合、前記第２ノードによって送信された第２通知メッセージを受信するように構成され、前記第２通知メッセージは、ＲＲＣ接続をサスペンドすることができないことを前記第１ノードに通知するために使用される。
【０１１６】
一実施形態において、前記ネゴシエートユニット６０２は、さらに、前記第２ノード側のサービスが第１状態にある場合、前記第２ノードによって送信された第３通知メッセージを受信するように構成され、前記第３通知メッセージは、ＲＲＣ接続をサスペンドすることができることを前記第１ノードに通知するために使用される。
【０１１７】
一実施形態において、前記ネゴシエートユニット６０２は、さらに、前記第２ノード側のサービスが第１状態にある場合、前記第２ノードによって構成された第２タイマを受信し、前記第２タイマを開始し、前記第２タイマの動作中に、前記第２ノード側に前記第１状態にあるサービスが生成された場合、前記第２ノードによって送信された第１指示メッセージを受信するように構成され、前記第１指示メッセージは、前記第２タイマを停止するように前記第１ノードに指示するために使用され、前記第２タイマの停止をトリガする前に、前記第２タイマが期限切れになった場合、前記制御ユニットは、前記第１サスペンドコマンドを端末機器に送信する。
【０１１８】
一実施形態において、前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである。
【０１１９】
当業者は、図６に示されたＲＲＣ接続をサスペンドする装置の各ユニットの具現機能が前記ＲＲＣ接続をサスペンドするに関する説明によって理解することができることを理解されたい。図６に示されたＲＲＣ接続をサスペンドする装置の各ユニットの機能は、プロセッサで実行されるプログラムによって実現されてもよいし、特定の論理回路によって実現されてもよい。
【０１２０】
図７は、本発明の実施例のＲＲＣ接続をサスペンドする装置の構成の第２の概略的な構造図であり、図７に示されたように、前記ＲＲＣ接続をサスペンドする装置は、
第２ノード側のサービスが第１状態にあると決定した場合、ＲＲＣ接続をサスペンドする必要があると決定するように構成される決定ユニット７０１と、
ＲＲＣ接続の一部をサスペンドする必要があることを第１ノードネゴシエートとネゴシエートし、またはＲＲＣ接続の一部をサスペンドする必要があると決定した場合、第２サスペンドコマンドを端末機器に送信するように構成される制御ユニット７０３であって、前記第２サスペンドコマンドは、ＲＲＣ接続の一部をサスペンドし、および部分的なＲＲＣ非活性化状態に入るように前記端末機器をトリガするために使用され、前記ＲＲＣ接続の一部をサスペンドすることとは、ＳＣＧのリソースをサスペンドすることを指す制御ユニット７０３とを備える。
【０１２１】
一実施形態において、前記第２ノードが、全てのＲＲＣ接続をサスペンドする必要があると前記第１ノードとネゴシエートする場合、前記第１ノードを介して第３サスペンドコマンドを前記端末機器に送信し、前記第３サスペンドコマンドは、全てのＲＲＣ接続をサスペンドし、およびＲＲＣ非活性化状態に入るように前記端末機器をトリガするために使用される。
【０１２２】
一実施形態において、前記装置は、第４通知メッセージを第１ノードに送信し、ＲＲＣ接続をサスペンドする必要があるかどうかを前記第１ノードとネゴシエートするように構成されるネゴシエートユニット７０２をさらに備え、前記第４通知メッセージは、ＲＲＣ接続をサスペンドする必要があると前記第２ノードが決定したことを前記第１ノードに通知するために使用される。
【０１２３】
一実施形態において、前記ＲＲＣ接続をサスペンドする必要があるかどうかを前記第１ノードとネゴシエートすることは、
前記第１ノード側のサービスが第１状態にある場合、前記第１ノードは、全てのＲＲＣ接続をサスペンドする必要があると決定することと、
前記第１ノード側のサービスが第１状態にない場合、前記第１ノードは、ＲＲＣ接続の一部をサスペンドする必要があると決定し、前記第１ノードによって送信された第５通知メッセージを受信することであって、前記第５通知メッセージは、ＲＲＣ接続の一部をサスペンドすることを前記第２ノードに通知するために使用されることとを含む。
【０１２４】
一実施形態において、前記制御ユニット７０３は、さらに、前記第２サスペンドコマンドを前記端末機器に送信した後に、第６通知メッセージを前記第１ノードに送信するように構成され、前記第６通知メッセージは、前記端末機器が部分的なＲＲＣ非活性化状態に入ることを前記第１ノードに通知するために使用される。
【０１２５】
一実施形態において、前記ネゴシエートユニット７０２は、さらに、ＲＲＣ接続の一部をサスペンドする必要があると決定した後に、第７通知メッセージを前記第１ノードに送信するように構成され、前記第７通知メッセージは、ＲＲＣ接続の一部をサスペンドする必要があることを前記第１ノードに通知するために使用される。
【０１２６】
一実施形態において、前記決定ユニット７０１は、前記第２ノードが、Ｍ（Ｍは正の整数である）個の前記第２ノード側のサービスベアラに対応するバッファ領域サイズが０に等しいバッファ領域状態レポートを継続的に受信する場合、前記第２ノード側のサービスが第１状態にあると決定するように構成される。
【０１２７】
一実施形態において、前記決定ユニット７０１は、前記第２ノード側のサービスベアラに対応する最初のバッファ領域サイズが０に等しいバッファ領域状態レポートを受信すると、第３タイマを開始し、前記第３タイマの動作中に、前記第２ノード側のサービスベアラに対応するバッファ領域サイズが０に等しくないというバッファ領域状態レポートを受信した場合、前記第３タイマを停止するように構成され、前記第３タイマの停止をトリガする前に、前記第３タイマが期限切れになった場合、前記第２ノード側のサービスが第１状態にあると決定する。
【０１２８】
一実施形態において、前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである。
【０１２９】
当業者は、図７に示されたＲＲＣ接続をサスペンドする装置の各ユニットの実現機能が前記ＲＲＣ接続をサスペンドするに関する説明によって理解することができることを理解されたい。図７に示されたＲＲＣ接続をサスペンドする装置の各ユニットの機能は、プロセッサで実行されるプログラムによって実現されてもよいし、特定の論理回路によって実現されてもよい。
【０１３０】
本発明の実施例で上記したＲＲＣ接続をサスペンドする装置がソフトウェア機能モジュールの形で実現され、スタンドアロン製品として販売または使用される場合、コンピュータ読み取り可能な記憶媒体に記憶されてもよい。このような理解に基づいて、本発明の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【０１３１】
対応的に、本発明の実施例は、コンピュータ実行可能な命令を記憶したコンピュータ記憶媒体をさらに提供し、当該コンピュータ実行可能な命令がプロセッサによって実行されると、本発明の実施例のＲＲＣ接続をサスペンドする方法を実現する。
【０１３２】
図８は、本発明の実施例のコンピュータ機器の構成の概略的な構造図であり、前記コンピュータ機器は、端末であってもよく、ネットワーク機器であってもよい。図８に示されるように、コンピュータ機器１００は、１つまたは複数（図では１つだけが示されている）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含み得るが、これらに限定されない）、データを記憶するためのメモリ１００４、および通信機能のための伝送装置１００６を備えることができる。当業者は、図８に示された構造が単なる例示であって、前述の電子装置の構造を限定しないことを理解することができる。例えば、コンピュータ機器１００は、図８に示されたものより多いまたは少ないコンポーネントをさらに備えてもよく、または図８に示されたものとは異なる構成を有してもよい。
【０１３３】
メモリ１００４は、本発明の実施例における方法に対応するプログラム命令／モジュールなどのアプリケーションプログラムのソフトウェアプログラムおよびモジュールを記憶するように構成されることができ、プロセッサ１００２は、メモリ１００４に記憶されたソフトウェアプログラムおよびモジュールを実行することにより、様々な機能アプリケーションおよびデータ処理を実行し、即ち、上記の方法を実現する。メモリ１００４は、高速ランダムアクセスメモリを含んでもよく、１つまたは複数の磁気記憶装置、フラッシュメモリ、または他の不揮発性ソリッドステートメモリなどの不揮発性メモリを含んでもよい。一実施形態において、メモリ１００４は、プロセッサ１００２に対してリモートで配置されたメモリをさらに含むことができ、これらのリモートメモリは、ネットワークを介してコンピュータ機器１００に接続されることができる。上記のネットワークの具現例は、インターネット、イントラネット、ローカルエリアネットワーク、モバイル通信ネットワーク、及びそれらの組み合わせを含むが、これらに限定されない。
【０１３４】
伝送装置１００６は、１つのネットワークを介してデータを受信または送信するように構成される。上記したネットワークの具体的な具現例は、コンピュータ機器１００の通信プロバイダが提供する無線ネットワークを含むことができる。一具現例において、伝送装置１００６は、基地局を介して他のネットワーク機器と接続してインターネットと通信することができる、ネットワークインターフェースコントローラ（ＮＩＣ：Ｎｅｔｗｏｒｋ  Ｉｎｔｅｒｆａｃｅ  Ｃｏｎｔｒｏｌｌｅｒ）を備える。一具現例において、伝送装置１００６は、無線方式を介してインターネットと通信するように構成される無線周波数（ＲＦ：Ｒａｄｉｏ  Ｆｒｅｑｕｅｎｃｙ）モジュールであってもよい。
【０１３５】
本発明の実施例で説明された技術的解決策は、競合することなく、任意に組み合わせることができる。
【０１３６】
本発明で提供されたいくつかの実施例において、開示された方法およびスマート機器は、他の方法で実現され得ることを理解されたい。上記で説明された機器の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された各構成要素間の相互結合または直接結合または通信接続は、いくつかのインターフェース、機器またはユニットを介した間接な結合または通信接続であり得、電気的、機械的または他の形態であり得る。
【０１３７】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現することができる。
【０１３８】
なお、本発明の各実施例における各機能ユニットは、全部１つの第２処理ユニットに統合してもよく、各ユニットを別々に１つのユニットとして使用してもよく、２つ以上のユニットを１つのユニットに統合してもよい。上記の統合されたユニットは、ハードウェアの形態で、またはハードウェアおよびソフトウェア機能ユニットの形態で実現することができる。
【０１３９】
上記の内容は、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021530122.tif 000003
【図２】
2021530122.tif 000004
【図３】
2021530122.tif 000005
【図４】
2021530122.tif 000006
【図５】
2021530122.tif 000007
【図６】
2021530122.tif 000008
【図７】
2021530122.tif 000009
【図８】
2021530122.tif 000010
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
無線リソース制御（ＲＲＣ）接続をサスペンドする方法であって、
前記第１ノードが第１通知メッセージを第２ノードに送信し、ＲＲＣ接続をサスペンドする必要があるかどうかを前記第２ノードとネゴシエートすることであって、前記第１通知メッセージは、ＲＲＣ接続をサスペンドする必要があると前記第１ノードが決定したことを前記第２ノードに通知するために使用されることと、
前記第１ノードが、ＲＲＣ接続をサスペンドする必要があることを前記第２ノードとネゴシエートする場合、前記第１ノードは、第１サスペンドコマンドを端末機器に送信することであって、前記第１サスペンドコマンドは、ＲＲＣ接続をサスペンドし、およびＲＲＣ非活性化状態に入るように前記端末機器をトリガするために使用されることとを含む、前記ＲＲＣ接続をサスペンドする方法。
【請求項２】
前記ＲＲＣ接続をサスペンドする必要があるかどうかを前記第２ノードとネゴシエートすることは、
前記第１ノードは、前記第２ノードによって送信された第２通知メッセージを受信することを含み、前記第２通知メッセージは、ＲＲＣ接続をサスペンドすることができないことを前記第１ノードに通知するために使用される、
請求項１に記載のＲＲＣ接続をサスペンドする方法。
【請求項３】
前記ＲＲＣ接続をサスペンドする必要があるかどうかを前記第２ノードとネゴシエートすることは、
前記第１ノードは、前記第２ノードによって送信された第３通知メッセージを受信することを含み、前記第３通知メッセージは、ＲＲＣ接続をサスペンドすることができることを前記第１ノードに通知するために使用される、
請求項１または２に記載のＲＲＣ接続をサスペンドする方法。
【請求項４】
前記ＲＲＣ接続をサスペンドする必要があるかどうかを前記第２ノードとネゴシエートすることは、
前記第１ノードは、前記第２ノードによって構成された第２タイマを受信し、前記第２タイマを開始することと、
前記第２タイマの動作中に、前記第１ノードは、前記第２ノードによって送信された第１指示メッセージを受信することであって、前記第１指示メッセージは、前記第２タイマを停止するように前記第１ノードに指示するために使用されることとを含み、
前記第２タイマの停止をトリガする前に、前記第２タイマが期限切れになった場合、前記第１ノードは、前記第１サスペンドコマンドを端末機器に送信する、
請求項１ないし３のいずれか一項に記載のＲＲＣ接続をサスペンドする方法。
【請求項５】
前記第１ノードは、デュアル接続ネットワークまたはマルチ接続ネットワークにおけるマスタノードであり、前記第２ノードは、デュアル接続ネットワークまたはマルチ接続ネットワークにおけるセカンダリノードである、
請求項１ないし４のいずれか一項に記載のＲＲＣ接続をサスペンドする方法。
【請求項６】
無線リソース制御（ＲＲＣ）接続をサスペンドする方法であって、
第２ノードが、ＲＲＣ接続の一部をサスペンドする必要があると第１ノードとネゴシエートし、または前記第２ノードが、ＲＲＣ接続の一部をサスペンドする必要があると決定した場合、前記第２ノードは、第２サスペンドコマンドを端末機器に送信することを含み、前記第２サスペンドコマンドは、ＲＲＣ接続の一部をサスペンドし、および部分的なＲＲＣ非活性化状態に入るように前記端末機器をトリガするために使用され、前記ＲＲＣ接続の一部をサスペンドすることとは、セカンダリセルグループ（ＳＣＧ）のリソースをサスペンドすることを指す、前記ＲＲＣ接続をサスペンドする方法。
【請求項７】
前記ＲＲＣ接続をサスペンドする方法は、
前記第２ノードが、全てのＲＲＣ接続をサスペンドする必要があると前記第１ノードとネゴシエートする場合、前記第１ノードを介して第３サスペンドコマンドを前記端末機器に送信することをさらに含み、前記第３サスペンドコマンドは、全てのＲＲＣ接続をサスペンドし、およびＲＲＣ非活性化状態に入るように前記端末機器をトリガするために使用される、
請求項６に記載のＲＲＣ接続をサスペンドする方法。
【請求項８】
前記ＲＲＣ接続をサスペンドする方法は、
前記第２ノードが、第４通知メッセージを前記第１ノードに送信し、ＲＲＣ接続をサスペンドする必要があるかどうかを前記第１ノードとネゴシエートすることをさらに含み、前記第４通知メッセージは、ＲＲＣ接続をサスペンドする必要があると前記第２ノードが決定したことを前記第１ノードに通知するために使用される、
請求項６または７に記載のＲＲＣ接続をサスペンドする方法。
【請求項９】
前記ＲＲＣ接続をサスペンドする必要があるかどうかを前記第１ノードとネゴシエートすることは、
前記第１ノードは、全てのＲＲＣ接続をサスペンドする必要があると決定すること、または
前記第１ノードは、ＲＲＣ接続の一部をサスペンドする必要があると決定し、前記第２ノードは、前記第１ノードによって送信された第５通知メッセージを受信することであって、前記第５通知メッセージは、ＲＲＣ接続の一部をサスペンドすることを前記第２ノードに通知するために使用されることを含む、
請求項８に記載のＲＲＣ接続をサスペンドする方法。
【請求項１０】
前記ＲＲＣ接続をサスペンドする方法は、
前記第２ノードが、前記第２サスペンドコマンドを前記端末機器に送信した後に、第６通知メッセージを前記第１ノードに送信することをさらに含み、前記第６通知メッセージは、前記端末機器が部分的なＲＲＣ非活性化状態に入ることを前記第１ノードに通知するために使用される、
請求項６ないし９のいずれか一項に記載のＲＲＣ接続をサスペンドする方法。
【請求項１１】
前記第２ノードが、ＲＲＣ接続の一部をサスペンドする必要があると決定した後に、前記ＲＲＣ接続をサスペンドする方法は、
前記第２ノードが、第７通知メッセージを前記第１ノードに送信することをさらに含み、前記第７通知メッセージは、ＲＲＣ接続の一部をサスペンドする必要があることを前記第１ノードに通知するために使用される、
請求項６に記載のＲＲＣ接続をサスペンドする方法。
【請求項１２】
無線リソース制御（ＲＲＣ）接続をサスペンドする装置であって、
第１通知メッセージを第２ノードに送信し、ＲＲＣ接続をサスペンドする必要があるかどうかを前記第２ノードとネゴシエートするように構成されるネゴシエートユニットであって、前記第１通知メッセージは、ＲＲＣ接続をサスペンドする必要があると第１ノードが決定したことを前記第２ノードに通知するために使用されるネゴシエートユニットと、
ＲＲＣ接続をサスペンドする必要があることを第２ノードとネゴシエートする場合、第１サスペンドコマンドを端末機器に送信するように構成される制御ユニットであって、前記第１サスペンドコマンドは、ＲＲＣ接続をサスペンドし、およびＲＲＣ非活性化状態に入るように前記端末機器をトリガするために使用される制御ユニットとを備える、前記ＲＲＣ接続をサスペンドする装置。
【請求項１３】
前記ネゴシエートユニットは、前記第２ノードによって送信された第２通知メッセージを受信するように構成され、前記第２通知メッセージは、ＲＲＣ接続をサスペンドすることができないことを前記第１ノードに通知するために使用され、および
前記ネゴシエートユニットは、さらに、前記第２ノードによって送信された第３通知メッセージを受信するように構成され、前記第３通知メッセージは、ＲＲＣ接続をサスペンドすることができることを前記第１ノードに通知するために使用される、
請求項１２に記載のＲＲＣ接続をサスペンドする装置。
【請求項１４】
前記ネゴシエートユニットは、さらに、前記第２ノードによって構成された第２タイマを受信し、前記第２タイマを開始し、前記第２タイマの動作中に、前記第２ノードによって送信された第１指示メッセージを受信するように構成され、前記第１指示メッセージは、前記第２タイマを停止するように前記第１ノードに指示するために使用され、前記第２タイマの停止をトリガする前に、前記第２タイマが期限切れになった場合、前記制御ユニットは、前記第１サスペンドコマンドを端末機器に送信する、
請求項１２または１３に記載のＲＲＣ接続をサスペンドする装置。
【請求項１５】
コンピュータ実行可能な命令が記憶される、コンピュータ記憶媒体であって、
当該コンピュータ実行可能な命令がプロセッサによって実行されると、請求項１ないし５のいずれか一項に記載の方法のステップ、または請求項６ないし１１のいずれか一項に記載の方法のステップを実現する、前記コンピュータ記憶媒体。
【国際調査報告】
2021530122.tif 000011
2021530122.tif 000012
2021530122.tif 000013
2021530122.tif 000014